(57)【要約】【課題】本発明は、高効率及び優れた表示品質を実現することができる構造からなる、プラズマディスプレイパネルに関する。【解決手段】本発明によるプラズマディスプレイパネルは、画像が表示される表示面を含む前面基板、背面基板、前面基板及び背面基板の間に位置する複数の放電セル、そして前面に形成された蛍光体層を含む。放電セルは、表示面から離れて位置する前面を含む。【選択図】図１
2006339150.tif 000002
【特許請求の範囲】
【請求項１】
画像が表示される表示面を含む前面基板、
背面基板、
前記前面基板及び前記背面基板の間に位置し、前記表示面から離れて位置する前面を含む複数の放電セル、及び
前記前面に形成された蛍光体層、を含むことを特徴とするプラズマディスプレイパネル。
【請求項２】
前記前面は、前記表示面側に凹んだ蛍光体層収容部を含み、前記蛍光体層収容部は、少なくとも一つの凹面を含み、前記蛍光体層は、前記少なくとも一つの凹面に形成されていることを特徴とする請求項１に記載のプラズマディスプレイパネル。
【請求項３】
前記蛍光体層収容部の個数は２つ以上であることを特徴とする請求項２に記載のプラズマディスプレイパネル。
【請求項４】
前記凹面は、前記前面に境界面が形成され、前記境界面は、円、楕円、及び多角形からなる群から選択される少なくとも一つの二次元形状からなることを特徴とする請求項２に記載のプラズマディスプレイパネル。
【請求項５】
前記蛍光体層収容部は、円錐、裁頭円錐、円柱、半球、球体、四面体、立方体、直方体、正多角柱、及びピラミッドからなる群から選択される少なくとも一つの三次元負角形状からなることを特徴とする請求項２に記載のプラズマディスプレイパネル。
【請求項６】
前記前面は、複数の前記蛍光体層収容部を含み、前記前面の中心に位置した一つの蛍光体層収容部で前記境界面によって形成される二次元形状の面積は、前記前面の端部に位置した他の蛍光体層収容部で前記境界面によって形成される二次元形状の面積以上であることを特徴とする請求項1に記載のプラズマディスプレイパネル。
【請求項７】
前記前面は、複数の前記蛍光体層収容部を含み、前記前面の端部に位置した蛍光体層収容部の個数は、前記前面の中心に位置した蛍光体層収容部の個数以下であることを特徴とする請求項６に記載のプラズマディスプレイパネル。
【請求項８】
前記少なくとも一つの凹面は曲面を含むことを特徴とする請求項２に記載のプラズマディスプレイパネル。
【請求項９】
前記前面基板に向かう前記曲面の最大深さは前記前面基板厚さの０．００２〜０．１であることを特徴とする請求項８に記載のプラズマディスプレイパネル。 
【請求項１０】
前記蛍光体層は、実質的に前記少なくとも一つの凹面全体に亘って形成されていることを特徴とする請求項２に記載のプラズマディスプレイパネル。
【請求項１１】
前記蛍光体層は、前記少なくとも一つの凹面全体に亘って実質的に均一の厚さであることを特徴とする請求項１０に記載のプラズマディスプレイパネル。
【請求項１２】
前記前面基板及び前記背面基板の間に位置した複数の隔壁をさらに含み、前記複数の隔壁は、前記放電セルを前記複数の放電セルのうちの隣接する放電セルから区画し、前記各隔壁は、前記放電セルの前記前面と接触する端部を含み、前記蛍光体層収容部は、前記前面基板及び前記複数の隔壁のうちの一つの隔壁の前記端部の間に延びていることを特徴とする請求項２に記載のプラズマディスプレイパネル。
【請求項１３】
前記蛍光体層は４〜２８μｍの厚さを有することを特徴とする請求項１に記載のプラズマディスプレイパネル。
【請求項１４】
前記放電セルの前面は、前記表示面と反対方向に向いた前記前面基板の内面を含むことを特徴とする請求項1に記載のプラズマディスプレイパネル。
【請求項１５】
前記表示面と反対方向に向いた前記前面基板の内面に形成された層をさらに含み、前記放電セルの前面は、前記表示面と反対方向に向いた前記層の面を含むことを特徴とする請求項１に記載のプラズマディスプレイパネル。
【請求項１６】
前記前面基板及び前記背面基板の間に位置した複数の隔壁及び複数の電極をさらに含み、前記複数の隔壁は、前記放電セルを前記複数の放電セルのうちの隣接する放電セルから区画することを特徴とする請求項１に記載のプラズマディスプレイパネル。
【請求項１７】
前記複数の隔壁のうちの少なくとも一つの隔壁は、前記複数の電極のうちの少なくとも一つの電極を含むことを特徴とする請求項１６に記載のプラズマディスプレイパネル。
【請求項１８】
前記少なくとも一つの隔壁は、複数の電極を含み、前記複数の電極は、前記前面基板及び背面基板の間に延びた複数の第１電極、及び、前記前面基板に垂直な方向に前記複数の第１電極と離隔して前記複数の第１電極に平行に延びた複数の第２電極を含むことを特徴とする請求項１７に記載のプラズマディスプレイパネル。
【請求項１９】
前記複数の電極は、前記背面基板上に配置された複数の第１電極、前記前面基板及び背面基板の間に延びた複数の第２電極、及び、前記前面基板に垂直な方向に前記複数の第２電極と離隔して前記複数の第２電極に平行に延びた複数の第３電極を含む、ことを特徴とする請求項１６に記載のプラズマディスプレイパネル。
【請求項２０】
請求項１によるプラズマディスプレイパネルを製造する方法であって、
前記放電セルの前面となる面を含む中間生成物を提供する段階、
前記中間生成物の表面に少なくとも一つの凹面を含む蛍光体層収容部を形成する段階、及び
前記少なくとも一つの凹面に蛍光体層を形成する段階、を含むことを特徴とするプラズマディスプレイパネルの製造方法。
【請求項２１】
前記中間生成物は、前面基板を含み、前記蛍光体層収容部を形成する段階は、前記表示面と反対方向に向いた前面基板の表面をエッチングする段階を含むことを特徴とする請求項２０に記載のプラズマディスプレイパネルの製造方法。
【請求項２２】
画像を表示する方法であって、
請求項１によるプラズマディスプレイパネルを提供する段階、及び
前記プラズマディスプレイパネルの前記放電セル内にプラズマ放電を起こして、前記プラズマ放電によって前記蛍光体層を刺激して、前記前面基板を通して光を放出し、前記放出された光で前記表示面に画像を表示する段階、を含むことを特徴とする画像表示方法。
【発明の詳細な説明】
【技術分野】
【０００１】
本発明はプラズマディスプレイパネルに関し、より詳しくは、高効率及び優れた表示品質を実現することができる構造からなる、プラズマディスプレイパネルに関するものである。
【背景技術】
【０００２】
一般に、プラズマディスプレイパネル（ｐｌａｓｍａ ｄｉｓｐｌａｙ ｐａｎｅｌ：ＰＤＰ）は、気体放電によって形成されたプラズマから放射される真空紫外線（ｖａｃｕｕｍ ｕｌｔｒａｖｉｏｌｅｔ：ＶＵＶ）が蛍光体を励起させることによって発生する可視光を利用して画像を表示するディスプレイ素子である。このようなプラズマディスプレイパネルは、高解像度の大画面を構成することが可能で、次世代薄型表示装置として脚光を浴びている。
【０００３】
一般的なプラズマディスプレイパネルは、面放電のための三電極を含む。前記構造のプラズマディスプレイパネルは、二電極からなる表示電極が形成される前面基板、及びアドレス電極が形成される背面基板を含む。背面基板は、前面基板から所定の距離だけ離隔する。そして、両基板の間の空間は、隔壁によって多数の放電セルに区画されて、放電セルの内部には、背面基板に蛍光体層が形成されて放電セル内に放電ガスが充填される。
【０００４】
表示電極のうちの一つの電極及びアドレス電極の間でのアドレス放電によって放電セルが選択されて、輝度を表示する維持放電は共に位置した表示電極によって行われる。
【発明の開示】
【発明が解決しようとする課題】
【０００５】
しかし、従来のプラズマディスプレイパネルでは、表示電極が前面基板に位置して、表示放電が前面基板付近でだけ起きて拡散されるので、放電空間を効率的に活用することができない。また、蛍光体層の面積を考慮せずに蛍光体層を形成するので、可視光を放出する蛍光体層の面積が小さくて、輝度が低下することがある。したがって、消費電力に対する輝度の比で定義されるプラズマディスプレイパネルの発光効率が悪い問題点がある。
【０００６】
そして、従来のプラズマディスプレイパネルでは、外光の反射によって明室コントラスト特性が低下する問題がある。この現象を防止するために、前面基板にブラックストライプを形成して黒部の比率を増加させる方法が提示されたが、このような方法は、黒部の比率の増加によって開口率が低下する問題点がある。
【０００７】
本発明は、上記課題を解決するためのものであって、高効率及び優れた表示品質を実現することができる構造からなる、プラズマディスプレイパネルを提供することを目的とする。
【課題を解決するための手段】
【０００８】
本発明の請求項１によるプラズマディスプレイパネルは、画像が表示される表示面を含む前面基板、背面基板、前面基板及び背面基板の間に位置する複数の放電セル、そして前面に形成された蛍光体層を含む。放電セルは、表示面から離れて位置する前面を含む。
【０００９】
前記前面は、表示面側に凹んだ蛍光体層収容部を含み、蛍光体層収容部は、少なくとも一つの凹面を含み、蛍光体層は、少なくとも一つの凹面に形成される。
【００１０】
前記蛍光体層収容部の個数は２つ以上である。
【００１１】
前記凹面は、前面に境界面が形成され、境界面は、円、楕円、及び多角形からなる群から選択される少なくとも一つの二次元形状からなる。
【００１２】
前記蛍光体層収容部は、円錐、裁頭円錐、円柱、半球、球体、四面体、立方体、直方体、正多角柱、及びピラミッドからなる群から選択される少なくとも一つの三次元負角形状からなる。
【００１３】
前記前面は、複数の蛍光体層収容部を含み、前面の中心に位置した一つの蛍光体層収容部で境界面によって形成される二次元形状の面積は、前面の端部に位置した他の蛍光体層収容部で境界面によって形成される二次元形状の面積以上である。
【００１４】
前記前面は、複数の蛍光体層収容部を含み、前面の端部に位置した蛍光体層収容部の個数は、前面の中心に位置した蛍光体層収容部の個数以下である。
【００１５】
前記少なくとも一つの凹面は曲面を含む。
【００１６】
前記前面基板に向かう曲面の最大深さは前面基板厚さの０．００２〜０．１である。
【００１７】
前記蛍光体層は、実質的に少なくとも一つの凹面全体に亘って形成されることができる。
【００１８】
前記蛍光体層は、少なくとも一つの凹面全体に亘って実質的に均一の厚さである。
【００１９】
本発明の請求項１２によるプラズマディスプレイパネルは、前面基板及び背面基板の間に位置した複数の隔壁をさらに含み、複数の隔壁は、放電セルを複数の放電セルのうちの隣接する放電セルから区画し、各隔壁は、放電セルの前面と接触する端部を含み、蛍光体層収容部は、前面基板及び複数の隔壁のうちの一つの隔壁の端部の間に延びている。
【００２０】
前記蛍光体層は４〜２８μｍの厚さを有する。
【００２１】
前記放電セルの前面は、表示面と反対方向に向かう前面基板の内面を含む。
【００２２】
本発明の請求項１５によるプラズマディスプレイパネルは、表示面と反対方向に向いた前面基板の内面に形成された層をさらに含み、放電セルの前面は、表示面と反対方向に向いた層の面を含む。
【００２３】
本発明の請求項１６によるプラズマディスプレイパネルは、前面基板及び背面基板の間に位置した複数の隔壁及び複数の電極をさらに含み、複数の隔壁は、放電セルを複数の放電セルのうちの隣接する放電セルから区画する。
【００２４】
前記複数の隔壁のうちの少なくとも一つの隔壁は、複数の電極のうちの少なくとも一つの電極を含む。
【００２５】
前記少なくとも一つの隔壁は、複数の電極を含み、複数の電極は、前面基板及び背面基板の間に延びた複数の第１電極、及び前面基板に垂直な方向に複数の第１電極と離隔して複数の第１電極に平行に延びた複数の第２電極を含む。
【００２６】
前記複数の電極は背面基板上に配置された複数の第１電極、前面基板及び背面基板の間に延びた複数の第２電極、及び前面基板に垂直な方向に複数の第２電極と離隔して複数の第２電極に平行に延びた複数の第３電極を含む。
【００２７】
本発明の請求項２０によるプラズマディスプレイパネルを製造する方法は、放電セルの前面となる面を含む中間生成物を提供する段階、中間生成物の表面に少なくとも一つの凹面を含む蛍光体層収容部を形成する段階、そして少なくとも一つの凹面に蛍光体層を形成する段階を含む。
【００２８】
前記中間生成物は、前面基板を含み、蛍光体層収容部を形成する段階は、表示面と反対方向に向いた前面基板の表面をエッチングする段階を含む。
【００２９】
本発明の請求項２２による画像を表示する方法は、前記プラズマディスプレイパネルを提供する段階、及びプラズマディスプレイパネルの放電セル内にプラズマ放電を起こして、プラズマ放電によって蛍光体層を刺激して、前面基板を通して光を放出し、放出された光で表示面に画像を表示する段階を含む。
【発明の効果】
【００３０】
本発明によれば、蛍光体層収容部を前面基板の表示面に向かって膨らむように形成し、各放電セルに少なくとも二つ以上の蛍光体層収容部を形成して適切に配置することによって、各放電セルに対応する蛍光体層の面積を最大化することができる。それにより、可視光の量を増加させることができ、プラズマディスプレイパネルの輝度を向上させることができる。
【００３１】
また、蛍光体層の膨らんだ面が外光を散乱させて、外光が反射するのを防止することができ、結果的に、黒部の比率を増加させなくても、明室コントラストを向上させることができる。
【００３２】
各放電セルを囲むように電極を形成するので、放電空間及びこのような放電空間に形成される空間電荷を増加させることができる。したがって、プラズマディスプレイパネルの放電効率を向上させることができる。
【発明を実施するための最良の形態】
【００３３】
以下、添付した図面を参照して、本発明の多様な実施形態（実施例及び変形例）について詳しく説明する。
【００３４】
図１を参照すれば、本発明の第１実施形態によるプラズマディスプレイパネルは、第１基板１０（以下、‘背面基板'とする）及び第２基板２０（以下、‘前面基板’とする）を含む。背面基板１０は、前面基板２０と所定の間隔をおいて、互いに対向して配置される。このような背面基板１０及び前面基板２０の間の空間は、隔壁１６によって多数の放電セル１８に区画される。放電セル１８内には放電ガスが充填されて、前面基板２０側に蛍光体層２９が形成される。
【００３５】
そして、放電セル１８に対応して、プラズマ放電を起こす電極１２、３１、３２が形成される。このような電極１２、３１、３２は、背面基板１０に形成される第１電極１２（以下、‘アドレス電極'とする）、背面基板１０及び前面基板２０の間の空間に位置する第２電極３１（以下、‘走査電極'とする）及び第３電極３２（以下、‘維持電極'とする）を含む。
【００３６】
このような構造のプラズマディスプレイパネルについて、より詳しく説明する。
【００３７】
背面基板１０の前面基板２０と対向する面には、一方向（図１のｘ軸方向）に沿ってアドレス電極１２が並んで形成される。このようなアドレス電極１２を覆って、背面基板１０の全面に誘電層１４が形成される。
【００３８】
このような誘電層１４上に、多数の放電セル１８を区画する隔壁１６が形成される。隔壁１６は、アドレス電極１２と平行な方向（図１のｙ軸方向）に形成される第１隔壁部材１６ａ、及びアドレス電極１２と交差する方向（図１のｘ軸方向）に形成される第２隔壁部材１６ｂを含む。
【００３９】
図１では、隔壁１６が互いに交差する隔壁部材を含むマトリックス構造からなることを示して説明したが、本発明はこれに限定されない。したがって、各放電セルを独立的な空間に区画する多様な構造の隔壁を本発明に適用することができ、これも本発明の範囲に属する。
【００４０】
隔壁１６によって区画される放電セル１８の平面形状は実質的に四角形からなり、この場合、放電セル１８の長さ（Ｌ１）は放電セルの幅（Ｗ１）より長く形成されることができる。放電セル１８の長さ（Ｌ１）は、放電セル１８をアドレス電極１２と平行な方向（図１のｙ軸方向）に測定した長さである。放電セルの幅（Ｗ１）は、放電セル１８をアドレス電極１２と交差する方向（図１のｘ軸方向）に測定した長さである。
【００４１】
しかし、本発明は前記放電セルの構造に限定されず、多様な平面形状からなることができ、多様な幅及び長さに形成される。
【００４２】
そして、隔壁１６の内部には、背面基板１０の面に垂直な方向（図１のｚ軸方向）に所定の間隔をおいて形成されて、互いに離隔して電気的に絶縁される走査電極３１及び維持電極３２が形成される。走査電極３１及び維持電極３２は、放電セル１８の側方に形成されるので、可視光を遮断しないため、導電性に優れた金属で構成することができる。隔壁１６は、その内部に位置した走査電極３１及び維持電極３２を電気的に絶縁する。
【００４３】
隔壁１６は誘電体で構成されるので、放電によって生成された荷電粒子が走査電極３１及び維持電極３２に直接衝突してこれを損傷させることを防止する。また、壁電荷を隔壁１６に蓄積させる。
【００４４】
そして、走査電極３１及び維持電極３２を囲んでいる隔壁１６の表面に保護膜１９を形成することができる。特に、保護膜１９は、放電セル１８の内部の放電空間で起こるプラズマ放電に露出される部分に形成されることができる。保護膜１９は、プラズマ放電によって電離されたイオンの衝突から隔壁１６を保護し、高い二次電子放出係数（ｓｅｃｏｎｄａｒｙ ｅｌｅｃｔｒｏｎ ｅｍｉｓｓｉｏｎ ｃｏｅｆｆｉｃｉｅｎｔ）値を有する物質製のものであり、二次電子を放出することによって放電効率を向上させる。
【００４５】
この場合、保護膜１９が放電セル１８の側方に形成されるので、保護膜１９は可視光を透過させない物質で構成することができる。一例として、保護膜１９は、可視光非透過性ＭｇＯからなることができ、このようなＭｇＯは、透過性ＭｇＯに比べてはるかに高い二次電子放出係数値を有するので、放電効率をより向上させることができる。
【００４６】
背面基板１０と対向する前面基板２０の一面２０ａには、蛍光体層収容部２２が形成される。このような蛍光体層収容部２２内に、プラズマ放電によって生成された真空紫外線を吸収して可視光を放出する緑色、赤色、及び青色の蛍光体層２９が各々別途に形成される。本実施形態では、前面基板２０に形成された蛍光体層収容部２２に蛍光体層２９を形成するので、従来のように背面基板１０側に蛍光体層２９を形成する場合に蛍光体層の面積を増加させるために形成した別途の隔壁層を形成しなくてもよい。したがって、製造工程を単純化することができ、プラズマディスプレイパネルの製造単価を低減させることができる。
【００４７】
本発明の第１実施形態によれば、前面基板２０は放電セル１８の一面２０ａとして作用する面を含む中間生成物を製造することに使用することができる。そして、複数の蛍光体層収容部２２を中間生成物の表面に形成することができる。蛍光体層収容部２２が少なくとも１つの凹面を含むので、蛍光体層を凹面上に形成することができる。
【００４８】
以下、図２を参照して、本発明の第１実施形態によるプラズマディスプレイパネルの作動原理について説明する。このようなプラズマディスプレイパネルの作動原理は、単に本発明を例示するためのものであり、本発明はこれに限定されない。
【００４９】
図２を参照すれば、前記プラズマディスプレイパネルでは、アドレス電極１２及び走査電極３１の間で起こるアドレス放電（Ａ）によって、点灯される放電セル１８を選択する。そして、走査電極３１及び維持電極３２の間で維持放電（Ｂ）が起こる。そして、ＰＤＰが放電セル１８内にプラズマ放電を起こす。 プラズマ放電は蛍光体層２９を励起して前面基板２０を通じて光を放出する。そして、放出された光で表示面２０ｂに画像を表示する。従って、画像が表示面２０ｂに表示されることができる。一方、各電極は、印加される信号電圧によって異なる作動をすることができる。したがって、本発明は前記内容に限定されない。プラズマディスプレイパネルの駆動のために多様な駆動方法が適用される。
【００５０】
本発明の第１実施形態によれば、走査電極３１が背面基板１０及び前面基板２０の間の空間に形成されるので、アドレス放電（Ａ）の放電の長さを短くすることができ、放電開始電圧を低減させることができる。図２には、走査電極３１及びアドレス電極１２の間のアドレス放電の放電の長さをより短くするために、走査電極３１が背面基板１０側に位置し、維持電極３２が前面基板２０側に位置することを示した。しかし、本発明はこれに限定されない。したがって、走査電極が前面基板側に位置し、維持電極が背面基板側に位置することも可能で、これも本発明の範囲に属する。
【００５１】
そして、走査電極３１及び維持電極３２の間で起こる維持放電（Ｂ）は、放電セル１８で背面基板１０の面に垂直な方向（図２のｚ軸方向）に形成されて、走査電極３１及び維持電極３２に印加される信号電圧によって形成される電界を放電セル１８の中心に集中させる。したがって、発光効率を向上させることができ、長時間の放電時にも、放電によって生成されるイオンのスパッタリング（ｉｏｎｓｐｕｔｔｅｒｉｎｇ）現象を防止することができる。
【００５２】
また、放電セル１８が走査電極３１及び維持電極３２によって囲まれるので、放電セル１８内で垂直な方向に形成される維持放電（Ｂ）は、放電セル１８内でより均一に形成されることができる。
【００５３】
本発明の第１実施形態によれば、蛍光体層収容部２２は、背面基板１０に向いて表示面２０ｂ側に凹むように形成される。つまり、画像を表示する前面基板２０の表示面２０ｂから離れた位置に形成される。このような蛍光体層収容部２２は、一例として、前面基板２０の一部をエッチングして形成することができ、この他にも多様な方法が適用される。
【００５４】
図２に示されているように、前面基板２０は１つの放電セル１８に対応して２つの蛍光体層収容部２２を含む。しかし、これは本発明を例示するためのものに過ぎず、本発明がこれに限定されるわけではない。従って、前面基板２０は少なくとも２つの蛍光体層収容部２２を含むことができる。少なくとも２つの蛍光体層収容部２２が形成されるので、ここに収容される蛍光体層２９の面積をさらに拡大することができる。蛍光体層収容部２２の面積が増加することによって蛍光体層の面積も増加する。蛍光体層２９の形状が蛍光体層収容部２２の形状に対応して凹状に形成されるので、平面状に形成される場合よりさらに大きな面積で形成することができる。真空紫外線を吸収して可視光を放出する蛍光体層２９の面積が大きくなることによって可視光の量も増加されるため輝度を向上させることができる。
【００５５】
蛍光体層収容部２２がこのような構造からなるので、蛍光体層収容部２２内に形成される蛍光体層２９も同一の形状に形成される。つまり、蛍光体層２９は、背面基板１０に向いて表示面２０ｂ側に凹むように、換言すれば、前面基板２０の表示面２０ｂに向かって膨らむように形成される。蛍光体層２９の膨らんだ部分が外光（Ｌ）を散乱させることによって、外光が前面基板２０側に反射するのを防止して、明室コントラストを向上させることができる。そして、蛍光体層２９が蛍光体層収容部２２の形状に対応して膨らむように形成されることによって、平行な場合より広い面積に形成することができる。真空紫外線を吸収して可視光を放出する蛍光体層２９の面積が広くなることによって、可視光の量を増加させることができるので、輝度を向上させることができる。
【００５６】
本発明の第１実施形態では、このような蛍光体層収容部２２は実質的に半球形であるので、平面形状が実質的に円形からなり、放電セル１８の対向面は曲面からなることができる。蛍光体層収容部２２がこのような構造からなるので、その内部にこれに対応して形成される蛍光体層２９によって、外光がより効果的に散乱されることができる。
【００５７】
図２には蛍光体層収容部２２を半球形状として図示したが、これは本発明を例示するためのものに過ぎず、本発明がこれに限定されるわけではない。従って、蛍光体層収容部２２の形状を他の形態に変形することができる。例えば、蛍光体層収容部は、円錐、裁頭円錐、円柱、半球、球体、四面体、立方体、直方体、正多角柱、及びピラミッドからなる群から選択される少なくとも一つの三次元負角形状を有することができる。このような形態では外光（Ｌ）を分散させることができる。
【００５８】
前面基板２０に向かう（ｚ軸方向）蛍光体層収容部２２における曲面の最大深さは基板厚さの０．００２〜０．１である。曲面の最大深さが基板厚さの０．００２未満である場合には、蛍光体層収容部２２の空間が小さすぎるため蛍光体層を形成することが不可能である。曲面の最大深さが基板厚さの０．１を超える場合には、前面基板２０の強度が弱くなる。
【００５９】
蛍光体層２９は４〜２８μｍの厚さを有する。蛍光体層２９の厚さが４μｍ未満である場合には、蛍光体の量が十分でないため十分な輝度を得ることができない。また、蛍光体層２９の厚さが２８μｍを超える場合には、真空紫外線が蛍光体層を十分に透過することができない。そのため、蛍光体層は残っている放電に寄与せず可視光を遮断する。そのため十分な輝度を得ることができない。
【００６０】
図３は図１に示したプラズマディスプレイパネルに適用することができる電極の構造を示した図である。このような電極の構造は、単に本発明を例示するためのものであり、本発明はこれに限定されない。
【００６１】
以下では、図３を参照して、走査電極及び維持電極について詳しく説明する。
【００６２】
図３を参照すれば、走査電極３１及び維持電極３２は、第１部分３１ａ、３２ａ及び第２部分３１ｂ、３２ｂを含む。第１部分３１ａ、３２ａは、第１隔壁部材１６ａの内部でアドレス電極１２と平行な方向（図３のｙ軸方向）に位置する。第２部分３１ｂ、３２ｂは、第２隔壁部材１６ｂの内部でアドレス電極１２と交差する方向（図３のｘ軸方向）に位置する。
【００６３】
図３では、走査電極及び維持電極が互いに連結された多数の四角形を含むはしご形状であることを示したが、これは単に本発明を例示するためのものであり、本発明はこれに限定されない。
【００６４】
アドレス電極１２と交差する方向（図３のｘ軸方向）に配置された一対の隣接する放電セル１８は、第１部分３１ａ、３２ａを共有する。走査電極３１及び維持電極３２は、アドレス電極１２の配置方向（図３のｘ軸方向）に沿って延びている。
【００６５】
図４を参照して、本発明の第１実施形態で各放電セル内に配置される蛍光体層収容部及び蛍光体層について詳しく説明する。
【００６６】
図４を参照すれば、蛍光体層収容部２２は、各放電セル１８に少なくとも二つ以上対応して形成される。前面基板２０で放電セル１８の長さ方向（図面のｙ軸方向）に沿って少なくとも二つ以上配置されることができる。図４には、二つの蛍光体層収容部が一つの列をなすことを示したが、本発明はこれに限定されない。蛍光体層収容部は、多様な個数及び多様な形状からなり、これも本発明の範囲に属する。
【００６７】
本発明の第１実施形態によれば、放電セル１８に、背面基板１０に向かって凹むように蛍光体層収容部２２が少なくとも二つ以上対応して形成される。そして、蛍光体層収容部２２に蛍光体層２９が形成されることによって、放電セル１８での蛍光体層２９の面積をより増加させることができる。したがって、蛍光体層２９から放出される可視光の量を増加させることができるので、プラズマディスプレイパネルの輝度を向上させることができる。
【００６８】
以下では、本発明の第２実施形態について詳しく説明する。本発明の第２実施形態によるプラズマディスプレイパネルは、本発明の第１実施形態によるプラズマディスプレイパネルと類似しているので、同一の部分には同一の図面符号を使用し、便宜上、その詳しい説明は省略する。以下では、本発明の第１実施形態によるプラズマディスプレイパネルと異なる部分についてのみ説明する。
【００６９】
図５を参照すれば、プラズマ放電を起こす電極４１、４２が各放電セル１８に配置されている。このような電極４１、４２は、第１電極４１（以下、‘アドレス電極'とする）及び第２電極４２（以下、‘走査電極’とする）を含む。
【００７０】
アドレス電極４１及び走査電極４２は、隔壁１６の内部に背面基板１０の面に垂直な方向（図５のｚ軸方向）に所定の間隔をおいて形成されて、互いに離隔して電気的に絶縁される。つまり、このようなアドレス電極４１及び走査電極４２は、全てが隔壁１６の内部に位置するので、背面基板１０側に別途の電極が形成されていない二電極構造を形成する。
【００７１】
本発明の第２実施形態によれば、蛍光体層２９の面積を増加させ、輝度を向上させて、外光を効果的に反射することができる。そして、明室コントラストを向上させることができる。
【００７２】
図６を参照して、本実施形態によるプラズマディスプレイパネルの駆動方法について説明する。
【００７３】
まず、一つの放電セルの放電に関与するアドレス電極及び走査電極の駆動波形について説明する。便宜上、アドレス電極をＡ電極とし、走査電極をＹ電極とする。
【００７４】
一つのサブフィールドは、リセット区間、アドレス区間、及び維持区間を含む。ここで、リセット区間では、Ａ電極に基準電圧（図６では０Ｖ）を印加した状態で、Ｙ電極に正の維持電圧（＋Ｖｒ）から全ての条件の放電セルで放電が起きる電圧（Ｖｓｅｔ）まで電圧が漸進的に増加した後で基準電圧（０Ｖ）まで下降するパルスを印加する。つまり、Ｙ電極の電圧はランプ形態に増加する。したがって、Ｙ電極の電圧が増加する間にＹ電極及びＡ電極の間で弱放電が起こって、放電セルを初期化することができる。そして、このようなリセット区間は、Ｙ電極に印加されるＶｓｅｔ電圧をＹ電極に印加した後で漸進的に下降させる区間を含まないので、リセット時間を短縮させることができる。
【００７５】
次に、アドレス区間では、点灯される放電セルを選択するために、Ｙ電極にスキャンパルス（Ｖｓｃ）を印加し、Ａ電極にアドレスパルス（Ｖａ）を印加する。
【００７６】
その後、維持区間では、Ａ電極に基準電圧（０Ｖ）を印加し、Ｙ電極に正の維持パルス（＋Ｖｓ）及び負の維持パルス（−Ｖｓ）を反復的に印加して、画像を表示する。維持区間の終わりの部分では、Ａ電極に基準電圧（０Ｖ）を印加した状態で、Ｙ電極に基準電圧（０Ｖ）から負の維持電圧（−Ｖｓ）まで漸進的に下降するイレーザパルス（ｅｒａｓｅｒｐｕｌｓｅ）を印加する。そうすると、Ｙ電極の電圧が下降する間にＹ電極及びＡ電極の間で弱放電が起こって、維持放電によって形成された壁電荷が消去される。
【００７７】
前記のように、本発明の第２実施形態では、Ａ電極を基準電圧（０Ｖ）でバイアスした状態で、Ｙ電極に印加される駆動波形によってリセット区間、アドレス区間、維持区間での放電を行う。したがって、三電極構造での維持電極及びこれを駆動する駆動回路を除去することができるので、回路の価格を節減することができる。
【００７８】
このような駆動方法は、本発明の第２実施形態によるプラズマディスプレイパネルを駆動する方法の一例であり、本発明はこれに限定されない。これ以外の異なる駆動方法も適用することができ、これも本発明の範囲に属する。
【００７９】
図７は図５に示した電極の構造の一例を示す。図７に示した電極の構造は、単に本発明を例示するためのものであり、本発明はこれに限定されない。したがって、電極の構造を異なる形状に変形することができる。
【００８０】
図７を参照すれば、アドレス電極４１は、第１部分４１ａ、第２部分４１ｂ、及び第３部分４１ｃを含む。第１部分４１ａは、第１隔壁部材１６ａの内部でこれと平行な方向（図７のｙ軸方向）に形成される。第２部分４１ｂは、第２隔壁部材１６ｂの内部で第１部分４１ａと交差する方向（図７のｘ軸方向）に形成される。そして、第３部分４１ｃは、隣接する第２部分４１ｂを互いに連結する。したがって、アドレス電極４１は第１部分４１ａと平行な方向（図７のｙ軸方向）に沿って電気的に接続されて連結される。
【００８１】
一方、走査電極４２は、第１部分４２ａ、第２部分４２ｂ、及び第３部分４２ｃを含む。第１部分４２ａは、第１隔壁部材１６ａの内部でこれと平行な方向（図７のｙ軸方向）に形成される。第２部分４２ｂは、第２隔壁部材１６ｂの内部で第１部分４２ａと交差する方向（図７のｘ軸方向）に形成される。第３部分４２ｃは、隣接する第１部分４２ａを互いに連結する。したがって、走査電極４２は第２部分４２ｂと平行な方向（図７のｘ軸方向）に沿って電気的に接続されて連結される。
【００８２】
本発明の第２実施形態では、アドレス電極４１及び走査電極４２は、各放電セル１８を囲んで互いに立体交差するように形成される。したがって、点灯される放電セルを選択するアドレス放電及び所定の輝度の画像を表示する維持放電に関与するアドレス電極４１及び走査電極４２が各放電セル１８を囲むので、放電空間及び空間電荷を効率的に使用して放電効率を向上させることができる。
【００８３】
本発明の第１実施形態及び第２実施形態では、蛍光体層収容部及び蛍光体層の構造を多様に変形することができる。例えば、第１変形例乃至第４変形例を各々図８乃至図１１に示す。図８乃至図１１に示した電極の構造は、第１実施形態または第２実施形態での電極の構造からなるが、他の電極の構造が適用されることもできるので、図８乃至図１１では電極の構造は省略した。
【００８４】
図８を参照すれば、第１変形例では、蛍光体層収容部４４の平面形状が実質的な四角形からなる。このような蛍光体層収容部４４内に、これに対応する形状に蛍光体層４６が形成される。蛍光体層収容部４４及び蛍光体層４６がこのような平面形状からなるので、四角形の各放電セル１８で蛍光体層４６の面積を最大化することができる。本発明の第１変形例では、二つの蛍光体層収容部４４が各放電セル１８に対応して各放電セルの長さ方向（図８のｙ軸方向）に沿って一列に配置される。
【００８５】
図９を参照すれば、本発明の第２変形例による蛍光体層収容部４８及び蛍光体層５０の配置及び平面形状は、本発明の第１変形例によるものと同一である。ただし、三つの蛍光体層収容部４８が各放電セル１８に対応している点で、第２変形例は第１変形例と異なる。
【００８６】
図１０を参照すれば、本発明の第３変形例では、蛍光体層収容部５２の平面形状が実質的に四角形からなる。蛍光体層５４は、このような蛍光体層収容部５２の形状に対応して形成される。この場合、蛍光体層収容部５２は、放電セルの長さ方向に沿って二列に配置され、各列に二つの蛍光体層収容部５２が形成される。
【００８７】
図１１を参照すれば、本発明の第４変形例による蛍光体層収容部５６及び蛍光体層５８の配置及び平面形状は、本発明の第３変形例によるものと同一である。ただし、三つの蛍光体層収容部５６が放電セル１８の各列に対応することが異なる。
【００８８】
このような変形例は、蛍光体層収容部の配置、平面形状、及び各放電セルに対応する個数が互いに異なるプラズマディスプレイパネルを実現するが、本発明はこれに限定されず、配置、平面形状、及び対応する個数を多様に変化させることができ、これも本発明の範囲に属する。
【００８９】
以下では、図１２を参照して本発明の第３実施形態を説明する。
【００９０】
図１２を参照すれば、隔壁６８によって区画される放電セル７０の平面形状は実質的に楕円形である。
【００９１】
実質的に楕円形というのは、円からなるものも含んでその周縁がラウンド形に形成される全ての平面形状を含む。そして、放電セル７０の幅（Ｗ２）より放電セルの長さ（Ｌ２）が長く形成される。しかし、本発明は、このような放電セルの構造に限定されず、多様な平面形状及び多様な幅及び長さに形成される。
【００９２】
前面基板で背面基板に向いて表示面側に凹むように形成される蛍光体層収容部７２内に、緑色、赤色、及び青色の蛍光体層７４が各々別途に形成される。蛍光体層７４は、プラズマ放電によって生成された真空紫外線を吸収して、可視光を放出する。したがって、蛍光体層７４が膨らむように形成されて、より広い面積を有することができ、外光の反射を効果的に防止することができる。
【００９３】
蛍光体層収容部７２は、放電セル７０の長さ方向（図１２のｙ軸方向）に沿って一つの列をなして形成される。そして、蛍光体層収容部７２の平面形状は円形または楕円形からなり、蛍光体層収容部７２はｔ１がｔ２より大きい条件を満たす。ｔ１は、放電セル７０の中心部に位置する蛍光体層収容部７２ａを、その中心を通るように放電セル７０の幅方向（図１２のｘ軸方向）に測定した距離である。ｔ２は、放電セル７０の長さ方向（図面のｙ軸方向）端部側に位置する蛍光体層収容部７２ｂを、その中心を通るように放電セル７０の幅方向（図１２のｘ軸方向）に測定した距離である。蛍光体層収容部７２がこのような構造からなるので、平面形状が実質的に楕円形からなる放電セルで、蛍光体層７４がより広い面積に形成されることができる。
【００９４】
本発明の第３実施形態によるプラズマディスプレイパネルを、図１３を参照して以下で詳しく説明する。
【００９５】
図１３を参照すれば、蛍光体層収容部８６は、放電セル７０の長さ方向（図１３のｙ軸方向）に沿って位置する端部及び放電セル７０の中心部で互いに異なる個数を含む。つまり、端部に比べて放電セル７０の中心部に、より多くの個数の蛍光体層収容部８６が形成される。
【００９６】
したがって、実質的に楕円形からなる放電セル７０の平面形状に対応して、蛍光体層８８の面積を最大化することができる。
【００９７】
以下、図１４及び図１５を参照して、本発明の第３実施形態によるプラズマディスプレイパネルに適用される電極の構造について説明する。このような電極の構造は、単に本発明を例示するためのものであり、本発明はこれに限定されない。
【００９８】
図１４に示したように、本発明の第３実施形態によるプラズマディスプレイパネルは、本発明の第１実施形態と同様な第１電極７６、第２電極７８、及び第３電極８０を含む三電極構造からなることができる。この場合、隔壁内に位置する第２電極７８及び第３電極８０の平面形状が、放電セル７０の平面形状に対応して楕円形からなることができる。
【００９９】
または、図１５に示したように、本発明の第３実施形態によるプラズマディスプレイパネルは、第１電極８２及び第２電極８４を含む二電極構造からなることもできる。この場合、隔壁内に位置する第１電極８２及び第２電極８４の平面形状が、放電セル７０の平面形状に対応して楕円形からなることができる。
【０１００】
前記では、本発明の実施形態及び変形例について説明したが、本発明はこれに限定されず、特許請求の範囲、発明の詳細な説明、及び添付した図面の範囲内で多様に変形して実施することが可能であり、これも本発明の範囲に属する。
【図面の簡単な説明】
【０１０１】
【図１】本発明の第１実施形態によるプラズマディスプレイパネルの部分分解斜視図である。
【図２】図１のプラズマディスプレイパネルを組立てた後に図１のＩＩＩ−ＩＩＩ線に沿って切断した部分断面図である。
【図３】図１のプラズマディスプレイパネルに含まれる電極の部分斜視図である。
【図４】図１のプラズマディスプレイパネルに含まれている放電セルの部分平面図である。
【図５】本発明の第２実施形態によるプラズマディスプレイパネルの部分断面図である。
【図６】図５のプラズマディスプレイパネルを駆動する一例を示す駆動波形図である。
【図７】図５のプラズマディスプレイパネルに含まれる電極の部分斜視図である。
【図８】本発明の第１実施形態及び第２実施形態の第１変形例による蛍光体層収容部及び蛍光体層の配置構造を概略的に示す部分平面図である。
【図９】本発明の第１実施形態及び第２実施形態の第２変形例による蛍光体層収容部及び蛍光体層の配置構造を概略的に示す部分平面図である。
【図１０】本発明の第１実施形態及び第２実施形態の第３変形例による蛍光体層収容部及び蛍光体層の配置構造を概略的に示す部分平面図である。
【図１１】本発明の第１実施形態及び第２実施形態の第４変形例による蛍光体層収容部及び蛍光体層の配置構造を概略的に示す部分平面図である。
【図１２】本発明の第３実施形態によるプラズマディスプレイパネルの部分平面図である。
【図１３】本発明の第３実施形態による他のプラズマディスプレイパネルの部分平面図である。
【図１４】本発明の第３実施形態によるプラズマディスプレイパネルに含まれる電極の構造の一例を示す斜視図である。
【図１５】本発明の第３実施形態によるプラズマディスプレイパネルに含まれる電極の構造の他の一例を示す斜視図である。
【符号の説明】
【０１０２】
１０  第１基板（背面基板）
１２、４１  第１電極（アドレス電極）
１４  誘電層
１６  隔壁
１８  放電セル
１９  保護膜
２０  第２基板（前面基板）
２２  蛍光体層収容部
２９  蛍光体層
３１、４２  第２電極（走査電極）
３２  第３電極（維持電極）
【図１】
2006339150.tif 000003
【図２】
2006339150.tif 000004
【図３】
2006339150.tif 000005
【図４】
2006339150.tif 000006
【図５】
2006339150.tif 000007
【図６】
2006339150.tif 000008
【図７】
2006339150.tif 000009
【図８】
2006339150.tif 000010
【図９】
2006339150.tif 000011
【図１０】
2006339150.tif 000012
【図１１】
2006339150.tif 000013
【図１２】
2006339150.tif 000014
【図１３】
2006339150.tif 000015
【図１４】
2006339150.tif 000016
【図１５】
2006339150.tif 000017